(57)【要約】【課題】この発明は、より広範囲の電話回線の不具合を監視することで、より高い信頼性をもつ遠隔監視通信制御システムを提供することを目的とするものである。【解決手段】自動通報装置１は、エレベータ３の状態を検出する監視対象状態検出部２からの監視対象状態情報によって、エレベータ３の異常を検出する。エレベータ３の異常が検出され、遠隔地通信装置６に対して送信する必要があると判断されたときに、監視対象状態情報を遠隔地通信装置６に対して送信する前に回線異常検出部１０４の検出結果を確認する。回線異常検出部１０４では、電話線、近部交換機、遠部交換機を含む電話回線５の異常を検出する。回線異常検出部１０４の検出結果が異常であるときには、インターホーン８を用いることによって異常内容と対応指示とを報知する。【選択図】図１
2006086813.tif 000002
【特許請求の範囲】
【請求項１】
監視対象の状態を検出する状態検出装置からの監視対象状態情報を監視及び記憶する監視データ管理部と、監視対象の異常内容を報知する報知装置を制御する報知管理部と、ダイヤルトーン、端子電圧、呼出に関する音声、及び端子電圧極性の反転を検出することで、電話線、近部交換機、及び遠部交換機を含む電話回線の異常を検出する回線異常検出部とを有する自動通報装置、及び
上記電話回線を介して上記自動通報装置と通信を行う遠隔地通信装置
を備え、
上記自動通報装置は、上記監視対象状態情報を上記遠隔地通信装置に対して送信する必要があると判断されたときに、上記監視対象状態情報を上記遠隔地通信装置に対して送信する前に上記回線異常検出部の検出結果を確認し、上記回線異常検出部の検出結果が異常であるときには、上記電話回線の異常内容に関する情報を上記報知装置に対して入力することを特徴とする遠隔監視通信制御システム。
【請求項２】
上記自動通報装置は、任意に設定される時間毎に上記回線異常検出部の検出結果を確認し、上記検出結果が異常であるときには、上記報知装置を制御することによって異常内容に関する情報を報知することを特徴とする請求項１に記載の遠隔監視通信制御システム。
【請求項３】
上記自動通報装置は、上記回線異常検出部が上記電話回線の端子電圧を常に判定することで、上記電話線及び上記近部交換機の少なくともいずれか一方が故障しているかどうかを判定し、上記端子電圧が正常範囲から実質的に外れたときには、上記報知装置を制御することによって異常内容に関する情報を報知することを特徴とする請求項１あるいは２に記載の遠隔監視通信制御システム。
【請求項４】
上記自動通報装置は、上記遠隔地通信装置と接続されるときに、上記回線異常検出部が上記電話回線の端子電圧極性の反転を判定することで、上記電話線、上記近部交換機、及び上記遠部交換機の少なくともいずれか１つが故障しているかどうかを判定し、上記電話回線の２線間極性が反転しないときには、上記報知装置を制御することによって異常内容に関する情報を報知することを特徴とする請求項１〜３のいずれか一項に記載の遠隔監視通信制御システム。
【発明の詳細な説明】
【技術分野】
【０００１】
この発明は、電話回線を介して接続される外部の通信装置に対して監視対象の異常を報知する遠隔監視通信制御システムに関するものである。
【背景技術】
【０００２】
従来、電話回線を介して接続される通報先に対してイベント入力を自動通報する自動通報装置は、電話回線からのダイヤルトーンの有無に応じて、電話回線の故障の有無を判断し、電話回線が故障していれば利用者に対して報知していた（例えば、特許文献１参照）。
【０００３】
【特許文献１】特開平１１−１６４０３２号公報
【発明の開示】
【発明が解決しようとする課題】
【０００４】
上記のような従来の遠隔監視通信制御システムでは、ダイヤルトーンの有無を用いることで、自動通報装置から自動通報装置と直接接続される近部交換機までの範囲の故障を監視していた。しかし、近部交換機よりも通報先側の通信網の不具合までは把握できなかった。
【０００５】
この発明は、上記のような課題を解決するためになされたものであり、その目的は、より広範囲の電話回線の不具合を監視することで、より高い信頼性をもつ遠隔監視通信制御システムを提供することである。
【課題を解決するための手段】
【０００６】
この発明に係る遠隔監視通信制御システムは、監視対象の状態を検出する状態検出装置からの監視対象状態情報を監視及び記憶する監視データ管理部、監視対象の異常内容を報知する報知装置を制御する報知管理部、並びにダイヤルトーン、端子電圧、呼出に関する音声、及び端子電圧極性の反転を検出し、電話線、近部交換機、及び遠部交換機を含む電話回線の異常を検出する回線異常検出部を有する自動通報装置と、電話回線を介して自動通報装置と通信が行われる遠隔地通信装置とを備え、自動通報装置は、監視対象状態情報を遠隔地通信装置に対して送信する必要があると判断されたときに、監視対象状態情報を遠隔地通信装置に対して送信する前に回線異常検出部の検出結果を確認し、回線異常検出部の検出結果が異常であるときには、上記電話回線の異常内容に関する情報を上記報知装置に対して入力する。
【発明の効果】
【０００７】
この発明の遠隔監視通信制御システムによれば、自動通報装置は、ダイヤルトーン、端子電圧、呼出に関する音声、及び端子電圧極性の反転を検出し、電話線、近部交換機、及び遠部交換機を含む電話回線の異常を検出する回線異常検出部を有しているので、電話回線のどこで故障したかを検出することができる。これによって、故障の有無に限らない異常内容に関する情報を報知することができ、遠隔監視通信制御システムの信頼性をより高めることができる。
【発明を実施するための最良の形態】
【０００８】
以下、この発明を実施するための最良の形態について、図面を参照して説明する。
実施の形態１．
図１は、この発明の実施の形態１による遠隔監視通信制御システムを示すブロック図である。図において、自動通報装置１には端子１ａ〜１ｈが設けられている。
【０００９】
端子１ａ〜１ｈの説明
端子１ａは、監視対象状態検出装置２（状態検出装置）から監視対象状態情報の入力を受けるためのものである。監視対象状態検出装置２は、監視対象の状態を監視し、監視対象状態情報を発する。この例では、監視対象はエレベータ３である。監視対象状態検出装置２は、エレベータ３の機械室、かご、乗降口、及びピット等に設けられている。
【００１０】
端子１ｂ，１ｃには、電話回線異常検出装置４及び電話回線５を介して遠隔地通信装置６が接続される。電話回線異常検出装置４は、ダイヤルトーン、電話回線の端子電圧（２線間電圧）、呼出音、話中音、輻輳中（電話回線が混雑している）等のアナウンス、及び電話回線の端子電圧極性の反転を検出し、端子１ｃに電話回線検出信号を入力する。遠隔地通信装置６とは、例えばエレベータ３が設けられているビルを管理する会社の通信端末等である。
【００１１】
端子１ｄ，１ｅには、インターホーン接続回路７が接続されている。インターホーン接続回路７は、かごに設けられているインターホーン８（報知装置）及びビル内の管理人室に設けられているインターホーン８が接続されている。自動通報装置１は、インターホーン接続回路７を制御することでインターホーン８を動作させることができる。
【００１２】
端子１ｆには、テスト釦９及び定期信号発生器１０からのテスト要求信号が入力される。テスト釦９は、テスト釦９が操作される度にテスト要求信号を発する。定期信号発生器１０は、任意の設定時間毎にテスト要求信号を発する。定期信号発生器１０は、例えば、１日に１回、１月に数回、又は設定された時刻毎等にテスト要求信号を発する。即ち、任意の設定時間とは、利用者が任意に設定できるものである。
【００１３】
端子１ｇには、ランプ１２が接続される。端子１ｈには、データクリア釦１１からの動作クリア信号が入力される。
【００１４】
自動通報装置１内の説明
自動通報装置１は、監視データ管理部１０１、通信管理部１０３、回線異常検出部１０４、報知管理部１０５、及びテスト要求部１０６を有している。
【００１５】
端子１ａから入力された監視対象状態情報は、監視対象状態情報を監視し記憶する監視データ管理部１０１に送られる。監視データ管理部１０１は、監視データ蓄積部１０２、監視データ異常判定部１０７、監視データ異常検出部１０８、及び監視データ異常認定部１０９を有している。監視データ蓄積部１０２では、監視対象状態情報が常に蓄積される。遠隔地通信装置６からデータ要求指示があれば、監視データ蓄積部１０２から遠隔地通信装置６に対して監視対象状態情報が送信される。
【００１６】
監視データ異常判定部１０７では、入力された監視対象状態情報が、その監視対象状態情報のレベル（監視対象の状態の良し悪しの度合い）に応じて、発生継続時間、及び所定時間内での発生回数が判定される。これらの判定の結果、監視データ異常判定部１０７で監視対象が異常だと判定されると、監視データ異常検出部１０８及び監視データ異常認定部１０９に対して、異常であると判定された監視対象情報が異常データとして入力される。監視データ異常検出部１０８では、入力された異常データに応じて、監視対象がどのような状態であるかが検出される。これによって、監視対象状態情報をどこに送信すべきかが選択され、選択信号（電話番号）が決定される。
【００１７】
監視データ異常認定部１０９では、入力された異常データに応じて、監視対象がどのような状態であるかが判断される。これによって、異常データが検出コードに変換される（例えば、火災：コード００１、エアコン不良：コード００２）。
【００１８】
例えば、監視対象状態検出装置２が温度検出器であるとすると、日時と温度とが監視データ蓄積部１０２に蓄積される。そして、エレベータの検出場所における温度が設定温度以上であるという監視対象状態情報が発生すると、その監視対象状態情報が、設定時間を超えて発生しているとき又は発生回数が１５分に１０回超えたときなどに、監視データ異常判定部１０７においてエレベータの状態が異常だと判定され、設定温度以上であるという監視対象状態情報が異常データとして監視データ異常検出部１０８及び監視データ異常認定部１０９に入力される。このとき、監視データ異常検出部１０８において監視対象の異常をビル管理会社に通報することが決定され、監視データ異常認定部１０９において異常データの検出コードが決定される。
【００１９】
選択信号及び検出コードは、通信管理部１０３に対して入力される。通信管理部１０３は、ダイヤル発信部１１０、データ送信部１１１、及び通信制御部１１２を有している。
【００２０】
ダイヤル発信部１１０は、監視データ管理部１０１からの選択信号の入力を受け、ダイヤル発信指示を通信制御部１１２に対して入力する。データ送信部１１１では、検出コードの入力を受け、検出コードを保持する。通信制御部１１２は、ダイヤル発信指示を受け、遠隔地通信装置６との通信を開始し、データ送信部１１１から検出コードを送信する。
【００２１】
自動通報装置１内の回線異常検出部１０４には、電話回線異常検出装置４から電話回線検出信号が端子１ｃを介して入力される。回線異常検出部１０４によって、近部交換機１３、遠部交換機１４、電話線１５、及び遠隔地通信装置６のいずれかの不具合が判断されると、不具合に応じた回線異常検出信号が通信制御部１１２に対して入力される。
【００２２】
通信制御部１１２は、回線異常検出信号を受けると、報知管理部１０５に対して回線異常検出信号を入力する。報知管理部１０５は、インターホーン制御部１１３、アナウンス内容記憶部１１４、及び電話要求部１１５を有している。また、報知管理部１０５は、端子１ｄ，１ｅを介してインターホーン接続回路７に接続される。
【００２３】
アナウンス内容記憶部１１４には、近部交換機１３、遠部交換機１４、電話線１５、及び遠隔地通信装置６のどこで不具合が発生したかという故障内容と、それらの故障に対する対応指示とを含んだアナウンス内容が記憶されている（異常内容に関する情報）。例えば、近部交換機１３に不具合が生じた場合には、「近部交換機１３までの通信回路に不具合が生じています。アナウンスをお聞きの方は、Ａ社に連絡をお願いします。」等というアナウンス内容が記憶されている。また、遠部交換機１４に接続できなかった場合には、「交換機間の通信に不具合が生じています。しばらくお待ちいただくか、アナウンスをお聞きの方はＡ社にご連絡願います。」等というアナウンス内容が記憶されている。
【００２４】
回線異常検出信号は、インターホーン制御部１１３に入力される。インターホーン制御部１１３は、入力された回線異常検出信号に応じて、アナウンス内容記憶部１１４からアナウンス内容を読み出す。また、インターホーン制御部１１３は、端子１ｄを介して、インターホーン接続回路７を制御する。
【００２５】
インターホーン接続回路７は、通常は、かごに設けられたインターホーン８と管理人室に設けられたインターホーン８とを接続するように設定されている。インターホーン接続回路７内のＳＷは、インターホーン制御部１１３によって制御される。これによって、かご内のインターホーン８又は管理人室のインターホーン８は、自動通報装置１の端子１ｅに接続される。
【００２６】
インターホーン制御部１１３は、インターホーン接続回路７を介してインターホーン８に電話回線５の異常内容及び対応指示を入力する。これに応じて、インターホーン８は、電話回線５内のどこで不具合が生じているか、及びそれに対しての対応指示をかご内又は管理人室内に報知する。
【００２７】
また、インターホーン制御部１１３は、かご内と管理人室との通話が設定時間以上になった場合又は要求がある場合には、かご内と遠隔地通信装置６との通話ができるようにしたり、管理人室と遠隔地通信装置６との通話ができるようにしたりする。
【００２８】
電話要求部１１５には、遠隔地通信装置６への選択信号が記憶されている。インターホーン制御部１１３は、電話要求部１１５に対して電話要求信号を発する。電話要求部１１５は、電話要求信号を受けることによって、選択信号をダイヤル発信部１１０に入力する。これによって、かご内又は管理人室と遠隔地通信装置６とが通話することができる。
【００２９】
テスト要求部１０６には、端子１ｆからテスト要求信号が入力される。テスト要求部１０６は、テスト要求信号が入力されると、オフフック指示を通信制御部１１２に対して入力する。すると、通信制御部１１２によってオフフックされ、電話回線異常検出装置４によってダイヤルトーンがあるかどうかが検出される。その検出結果が、電話回線検出信号として回線異常検出部１０４に入力される。
【００３０】
回線異常検出部１０４によって、電話回線検出信号が判断される。即ち、回線異常検出部１０４によって、ダイヤルトーンがあるかないかが判断される。ダイヤルトーンがあることが判断されると、回線異常検出部１０４から、通信制御部１１２を介してテスト要求部１０６にダイヤルトーン検出信号が入力される。テスト要求部１０６は、ダイヤルトーン検出信号を受けることで、端子１ｇを介してランプ１２を点灯させ、テスト要求信号がクリアされる。なお、ダイヤルトーンが検出されない場合には、ランプ１２は点灯しない。
【００３１】
自動通報装置１は、端子１ｈから動作クリア信号の入力を受けることによって、異常データ、電話要求信号、及びテスト要求信号がクリアされる。即ち、ダイヤル発信部１１０に対して選択信号が入力されることがキャンセルされ、通信制御部１１２によってオフフックされることがキャンセルされる。従って、自動通報装置１と遠隔地通信装置６との通信及び通話がキャンセルされる。
【００３２】
自動通報装置１と遠隔地通信装置６との通信の説明
図２は、図１の電話回線５を介して行われる自動通報装置１と遠隔地通信装置６との通信状態を示す説明図である。自動通報装置１は近部交換機１３及び遠部交換機１４を介して遠隔地通信装置６に接続される。
【００３３】
自動通報装置１に接続される電話線１５は、Ｌ１及びＬ２の端子を有する。Ｌ１とＬ２との間には、近部交換機１３からＤＣ４８Ｖの直流電圧がかけられている。即ち、近部交換機１３が故障していなければ、自動通報装置１に対してＤＣ４８Ｖの電圧は供給される。なお、近部交換機１３が故障していないときの供給電圧は約４８±５Ｖの範囲である。
【００３４】
自動通報装置１において、オフフック（電話機で言うならば、受話器を外すこと）が行われると、近部交換機１３の呼出信号が発せられる。近部交換機１３において発呼出が検出されると、近部交換機１３が起動され、選択信号（電話番号）受信準備が完了され、ダイヤルトーン（４００Ｈｚの連続信号）が自動通報装置１に対して送信される。
【００３５】
自動通報装置１は、ダイヤルトーンを検出し、近部交換機１３に対して選択信号を送信する。近部交換機１３は、選択信号に基づいて遠部交換機１４との接続を行う。遠部交換機１４は、遠隔地通信装置６の状態に基づいて、呼出音、話中音、又は輻輳中等のアナウンス（呼出に関する情報）を自動通報装置１に対して選択的に送信する。即ち、遠部交換機１４が故障していなければ、呼出音、話中音、又は輻輳中等のアナウンスが検出される。
【００３６】
遠隔地通信装置６が通信可能の状態であれば、自動通報装置１には呼出音が送信され、遠隔地通信装置６には着信表示がなされる。遠隔地通信装置６がオフフックを行うと、伝送及び通話が可能な状態となる。また、遠隔地通信装置６がオフフックを行うと、自動通報装置１にかかっていた直流電圧の極性が反転する（応答信号）。即ち、遠隔地通信装置６が故障していなければ、呼出音、話中音、又は輻輳中等のアナウンスが検出された後にＬ１，Ｌ２間の直流電圧の極性の反転が検出される。
【００３７】
この後、自動通報装置１及び遠隔地通信装置６のいずれか一方においてオンフック（電話機で言うならば、受話器を置くこと）が行われると、伝送及び通話が終了とされる。
【００３８】
動作説明
図３は、図１の自動通報装置１の動作を示すフローチャートである。図において、自動通報装置１は、監視対象状態検出装置２からの入力データ（監視対象状態情報）の取り込み及び監視を行っている（ステップＳ１０１）（通常状態）。取り込まれた入力データは、監視データ蓄積部１０２に蓄積され（ステップＳ１０２）、監視データ異常判定部１０７によって入力データが異常データであるかどうかが判断される（ステップＳ１０３）。入力データが異常データでなかった場合には、通常状態に戻る。
【００３９】
ここで、入力データが異常データであった場合、インターホーン制御部１１３から電話要求信号があった場合（ステップＳ１０４）、又は、テスト要求部１０６にテスト要求信号が入力された場合（ステップＳ１０５）には、異常データ、電話要求信号、及びテスト要求信号の保存が行われる（ステップＳ１０６〜１０８）（通信準備完了状態）。
【００４０】
また、動作クリア信号によって行われるテスト要求信号、電話要求信号、及び異常データクリア信号のクリア（ステップＳ１０９）は、通信準備完了状態のときに割り込んで行われる。
【００４１】
次に、自動通報装置１内において、異常データ又は電話要求信号の有無が確認される。即ち、ダイヤル発信部１１０において選択信号の入力が行われるかどうかが確認される（ステップＳ１１０）。ここで、自動通報装置１が通信準備完了状態になったのが、異常データ、電話要求信号、及びテスト信号のいずれによるものなのかが判断され、この後の動作がそれぞれ変わる。
【００４２】
異常データ又は電話要求信号によって通信準備状態になった場合
異常データ又は電話要求信号が発生していると、選択信号がダイヤル発信部１１０に入力され、ダイヤル発信指示が通信制御部１１２に入力される。これによって、通信制御部１１２は、オフフックを行う（回線を繋ぐ）（ステップＳ１１１）。
【００４３】
次に、回線異常検出部１０４によって、ダイヤルトーンの有無が確認される（ステップＳ１１２）。ここで、ダイヤルトーンが検出されるかどうかで、近部交換機１３までの電話回線５が正常であるかどうかが判断される。
【００４４】
近部交換機１３までの電話回線５に不具合があるときには、ダイヤルトーンが検出されない。すると、通信制御部１１２はオンフックを行い、オンフックをＴ１秒間（任意の設定時間）保持する（ステップＳ１１３）。これによって、オフフックとオンフックとに時間差をもたせている。
【００４５】
そして、Ｔ１秒間オンフックを維持した後に、ｎ回（任意の設定回数）オフフック及びダイヤルトーンの検出動作を行う（ステップＳ１１４）。ｎ回リトライを行ってもダイヤルトーンが検出されなければ、電話線１５の断線や、接続部の不具合等があると判断され、インターホーン８によって、例えば「通信回線が故障しています。Ａ社に連絡お願いします。」というアナウンスが、かご内又は管理人室内に報知される（ステップＳ１１５）。
【００４６】
一方、ｎ回のリトライの内にダイヤルトーンが検出されれば、近部交換機１３までの電話回線の正常が確認され通信準備完了状態に戻り、再び異常データ又電話要求信号の有無を確認する（ステップＳ１１０）。
【００４７】
これらに対して、近部交換機１３までの電話回線５に不具合がなく、ダイヤルトーンが検出されるときには、通信制御部１１２から近部交換機１３に対して選択信号が送信される（ステップＳ１１６）。
【００４８】
このとき、回線異常検出部１０４によって、遠部交換機１４から自動通報装置１に対して呼出信号、話中音、及び音声アナウンスのいずれかがあるか、並びに応答信号（極性反転）があるかどうかが判断される（ステップＳ１１７）。
【００４９】
ここで、応答信号が検出されないときには、Ｔ２秒間（任意の設定時間）（例えば、２秒間）応答信号が検出されるかを監視する（ステップＳ１１８）。例えば、Ｔ２秒間の間に応答信号が検出されなかった場合には、輻輳中（回線が混雑いる状態）である可能性がある。このときには、Ｔ１秒間オンフックが行われ（ステップＳ１１９）、インターホーン８によって、例えば「通信連絡ができにくくなっています。しばらくお待ちいただくか、アナウンスをお聞きの方はＡ社にご連絡願います。」等がかご内又は管理人室内に報知され（ステップＳ１２０）、その間にリトライを繰り返す（ステップＳ１１０〜Ｓ１１８）。
【００５０】
これに対して、呼出信号、話中音、及び音声アナウンスのいずれか、並びに応答信号が検出されれば、自動通報装置１と遠隔地通信装置６とが通信及び通話可能な状態となり、監視データの送信又は通話が開始される（ステップＳ１２１）。そして、監視データが送信され終わったか、又は電話要求信号があるか（オンフックされていないか）が監視される（ステップＳ１２２）。そして、監視データが送信され終わったとき、又はかご内と遠隔地通信装置６との通話が終了すると、オンフック（回線を切断）される（ステップＳ１２３）。
【００５１】
テスト要求信号によって通信準備完了状態になった場合
通信準備完了状態のときに異常データ又電話要求信号の有無が確認される（ステップＳ１１０）が、この場合には、異常データ又電話要求信号はないので、テスト要求信号の有無が確認される（ステップＳ１２４）。テスト要求信号があることが確認されると、通信制御部１１２によってオフフックが行われ（ステップＳ１２５）、ダイヤルトーンの有無が監視される（ステップＳ１２６）。このとき、ダイヤルトーンが確認されない場合の動作は、異常データ又は電話要求信号によって、自動通報装置１が通信準備完了状態になったときの動作と同様である（ステップＳ１１３〜１１５）。
【００５２】
これに対して回線異常検出部１０４によってダイヤルトーンが検出されると、回線異常検出部１０４からテスト要求部１０６に対してダイヤルトーン検出信号が入力され、ランプ１２を点灯させる（ステップＳ１２７）。そして、テスト要求がクリアされ（ステップＳ１２８）、自動通報装置１は通信準備完了状態に戻り、異常データ又は電話要求信号がないことが確認され（ステップＳ１１０）、テスト要求信号がないことが確認され（ステップＳ１２４）、自動通報装置１は通常状態に戻る。
【００５３】
データクリア釦１１が押された場合
通信準備完了状態のときに動作クリア信号を受け、テスト要求、電話要求、及び異常データがクリアされると、異常データ又は電話要求信号がないことが確認され（ステップＳ１１０）、テスト要求信号がないことが確認され（ステップＳ１２４）、自動通報装置１は通常状態に戻る。
【００５４】
このような遠隔監視通信制御システムでは、回線異常検出部１０４によって電話回線、近部交換機、及び遠部交換機の異常を検出することができるので、通信網のどこで故障したかを検出することができ、これによって、故障の有無だけに限らず、異常内容及び対応指示を報知することができ、遠隔監視通信制御システムの信頼性をより高めることができる。
【００５５】
また、定期信号発生器１０から任意の設定時間毎にテスト要求信号が発せられるので、オフフックによる電話回線５の状態を任意の設定時間毎に行うことができる。従来の装置は、常にオフフックによる電話回線５の状態を確認し、遠隔地通信装置６から通信を行おうとしたときに話中になっていたが、そのことを防ぎ、遠隔地通信装置６から自動通報装置１に対しての接続が可能になる。
【００５６】
さらに、遠隔地通信装置６から自動通報装置１に対して接続可能としたことで、遠隔地通信装置６は、任意のときに監視データ蓄積部１０２のデータを読み取ることが可能となり、遠隔監視通信制御システムの信頼性をより高めることができる。
【００５７】
さらにまた、回線異常検出部１０４によって常に電話回線５の端子間電圧が監視されているので、オフフックをしなくても２４ｈ３６５日の電話回線５の状態のチェックが可能となり、遠隔監視通信制御システムの信頼性をより高めることができる。
【００５８】
また、回線異常検出部１０４によって電話回線５の端子間電圧の極性反転が検出されるので、電話回線５の不具合だけではなく、遠隔地通信装置６の動作が確認できるので、より詳細な異常内容に関する情報を提供することができ、遠隔監視通信制御システムの信頼性をより高めることができる。
【００５９】
なお、実施の形態１の説明において、自動通報装置１はダイヤルトーンの有無の確認を行っていた。しかし、ダイヤルトーンを検出せずに、電話回線の端子電圧だけを確認してもよい。これにより、遠隔監視通信制御システムの回路構成が簡略化できる。
【図面の簡単な説明】
【００６０】
【図１】この発明の実施の形態１による遠隔監視通信制御システムを示すブロック図である。
【図２】図１の電話回線を介して行われる自動通報装置と遠隔地通信装置との通信状態を示す説明図である。
【図３】図１の自動通報装置の動作を示すフローチャートである。
【符号の説明】
【００６１】
１  自動通報装置、２  監視対象状態検出装置（状態検出装置）、４  電話回線異常検出装置、５  電話回線、６  遠隔地通信装置、８  インターホーン（報知装置）、１０  定期信号発生器、１３  近部交換機、１４  遠部交換機、１５  電話線、１０１  監視データ管理部、１０４  回線異常検出部、１０７  監視データ異常判定部。
【図１】
2006086813.tif 000003
【図２】
2006086813.tif 000004
【図３】
2006086813.tif 000005